(57)【要約】  本発明は、視標イメージ及び複数の基準イメージをディスプレイする段階、視標イメージに対する応答を受信する段階及び複数の基準イメージの中で応答から決定される基準イメージが視標イメージと同じ模様であるかを判断する段階を含み、複数の基準イメージの中で一つの基準イメージは視標イメージの模様と同じである視力検査方法、視力検査機及びこの視力検査方法のプログラムを保存するダウンローダサーバに関する発明である。
2019509881.tif 000002
【特許請求の範囲】
【請求項１】
視力検査機において行われる視力検査方法であって、
（ａ）視標イメージ及び複数の基準イメージをディスプレイする段階と、
（ｂ）前記視標イメージに対する応答を受信する段階と、
（ｃ）前記複数の基準イメージの中で前記応答から決定される基準イメージが前記視標イメージと同じ模様であるかを判断する段階とを含み、
前記複数の基準イメージの中で一つの基準イメージは前記視標イメージの模様と同じであることを特徴とする視力検査方法。
【請求項２】
ディスプレイされる前記複数の基準イメージのそれぞれはディスプレイされる前記視標イメージから互いに異なる方向の外郭に位置し、
前記応答は複数の基準イメージの中で一つの基準イメージを選択するための方向入力を含み、
前記段階（ｃ）は前記応答の方向入力に対応する基準イメージと前記視標イメージが同じ模様であるかを判断することを特徴とする請求項１に記載の視力検査方法。
【請求項３】
前記基準イメージの大きさは同じ模様の視標イメージの中で最も大きい視標イメージの大きさと同じであるかまたはそれより大きいことを特徴とする請求項２に記載の視力検査方法。
【請求項４】
（ｄ）前記段階（ｃ）における判断結果によって選択される後続視標イメージと複数の基準イメージをディスプレイする段階をさらに含み、
前記段階（ａ）及び（ｄ）は被検者の両眼検査のために二つの視標イメージと各視標イメージの外郭にそれぞれ位置する二つの複数の基準イメージをディスプレイすることを特徴とする請求項１に記載の視力検査方法。
【請求項５】
視標イメージ及び複数の基準イメージをディスプレイするディスプレイ部と、
前記視標イメージに対する応答を受信する入力部と、
前記複数の基準イメージの中で前記応答から決定される基準イメージが前記視標イメージと同じ模様であるかを判断する制御部とを含み、
前記複数の基準イメージの中で一つの基準イメージは前記視標イメージの模様と同じであることを特徴とする視力検査機。
【請求項６】
前記ディスプレイ部にディスプレイされる前記複数の基準イメージのそれぞれはディスプレイされる前記視標イメージから互いに異なる方向の外郭に位置し、
前記入力部を通じて受信される前記応答は複数の基準イメージの中で一つの基準イメージを選択するための方向入力を含み、
前記制御部は前記複数の基準イメージの中で前記応答の方向入力に対応する基準イメージと前記視標イメージが同じ模様であるかを判断することを特徴とする請求項５に記載の視力検査機。
【請求項７】
前記制御部は、決定された基準イメージと視標イメージに対する判断結果によって後続視標イメージを選択し、選択された後続視標イメージ及び複数の基準イメージを前記ディスプレイ部を通じて出力し、
被検者の両眼検査のために、前記ディスプレイ部は二つの視標イメージと各視標イメージの外郭にそれぞれ位置する二つの複数の基準イメージをディスプレイすることを特徴とする請求項５に記載の視力検査機。
【請求項８】
前記ディスプレイ部はそれぞれの視標イメージをディスプレイするための二つのディスプレイモジュール及びそれぞれの複数の基準イメージをディスプレイし、前記二つのディスプレイモジュールを収容可能な基準視標板を含むことを特徴とする請求項７に記載の視力検査機。
【請求項９】
前記ディスプレイ部はそれぞれの視標イメージ及び対応する複数の基準イメージをディスプレイするための二つのディスプレイモジュールを含み、
前記制御部は複数の基準イメージのそれぞれを同じ模様の視標イメージの中で最も大きい視標イメージの大きさと同じであるかまたはそれより大きくなるように構成して視標イメージとともに前記ディスプレイモジュールへ出力することを特徴とする請求項７に記載の視力検査機。
【請求項１０】
視力検査方法のプログラムを保存するダウンローダサーバにおいて、
ネットワークを通じてダウンロード要請を受信し、ダウンロード要請に対応するプログラムをネットワークを通じて伝送する通信モジュールと、
複数のプログラムを保存する保存モジュールであって、請求項１の視力検査方法を行う視力検査プログラムを保存する保存モジュールと、前記通信モジュールを通じて受信された前記視力検査プログラムのダウンロード要請に応じて前記保存モジュールに保存された視力検査プログラムを前記通信モジュールへ伝達する制御モジュールとを含むことを特徴とするダウンローダサーバ。
【発明の詳細な説明】
【技術分野】
【０００１】
本発明は視力検査方法、視力検査機及びこの視力検査方法のプログラムを保存するダウンローダサーバに関し、簡易なユーザ入力と多様な種類の視標を活用して自動的に視力検査が行われ、多様な階層における正確な視力検査が統一的に行われるようにする、視力検査方法、視力検査機及びこの視力検査方法のプログラムを保存するダウンローダサーバに関する。
【背景技術】
【０００２】
視力検査は眼科、眼鏡店、健康診断などで実施される。一般的な視力検査は、被検者が遮眼子を利用して遠距離の視力表を注視しながら眼鏡士や看護師の案内を受けて行われる。
【０００３】
出願人は、このような従来の視力検査方法において様々な問題を認知して新たな方式の視力検査方法を発明（韓国登録特許１０−１４５１６６９  Ｂ１、２０１４年１０月１７日公告、以下、「特許文献１」とする)した。本特許文献１は線で表現される２つの図形をディスプレイし、ディスプレイされた２つの図形に対するユーザ入力を通じて自動的に視力を検査することができるように構成される。
【０００４】
特許文献１は、外部と内部の図形線間の間隔の認識によるユーザ選択（方向選択）を受信するようにしているが、本特許文献１の発明にも様々な補足点が存在することが判明された。
【０００５】
ランドルト視標や特許文献１の視標などは、いずれも視標から認識される特定の方向を選択するようにしてその視力検査が行われるようにするものであるが、乱視などを有する被検者は乱視により正確な方向の特定が困難であるという問題がある。それによって、乱視を有する被検者は正確な視力検査ができないという問題がある。
【０００６】
また、一般的に視力検査は多様なタイプの視標（例えば、数字、文字、ランドルト、船、飛行機、傘、動物柄）を活用してその検査が行われるが、ランドルト視標や特許文献１の視標のみを活用しては、その正確な検査が行われ難い。
【０００７】
多様なタイプの視標を活用して視力検査が行われるためには、被検者の正確な意思表現が必要であるが、簡単な意思表現により正確な視力検査が行われるように構成される必要が依然として存在する。
【０００８】
また、被検者の意思表現が、他の追加的な説明までもなく直観的に入力されることができるように構成することが好ましい。
【０００９】
このように、既知の視力検査方法において引き起こされる多様な問題点を解消することができる、視力検査方法、視力検査機及びこの視力検査方法のプログラムを保存するダウンローダサーバが必要である。
【発明の概要】
【発明が解決しようとする課題】
【００１０】
本発明は、前述の問題点を解決するために考案されたものであって、多様なタイプの視標を活用して自動視力検査を可能とする、視力検査方法、視力検査機及びこの視力検査方法のプログラムを保存するダウンローダサーバを提供することにその目的がある。
【００１１】
また、本発明は乱視などのような眼の屈折異常に関係なくディスプレイされた多様なタイプの視標に対する応答を選択することができるようにして正確な視力検査が行える、視力検査方法、視力検査機及びこの視力検査方法のプログラムを保存するダウンローダサーバを提供することにその目的がある。
【００１２】
また、本発明は年齢に関係なく、視力検査のためにディスプレイされたイメージに対する応答を直観的に選択するようにして特別な意思表現を使わずに自動化された視力検査が行えるようにする、視力検査方法、視力検査機及びこの視力検査方法のプログラムを保存するダウンローダサーバを提供することにその目的がある。
【００１３】
本発明において達成しようとする技術的課題は、前述の技術的課題に制限されず、言及されていないまた他の技術的課題は、次の記載から本発明が属する技術分野において通常の知識を有する者にとって明確に理解されるべきである。
【課題を解決するための手段】
【００１４】
本発明の一態様によって視力検査機で行われる視力検査方法は、（ａ）視標イメージ及び複数の基準イメージをディスプレイする段階、（ｂ）前記視標イメージに対する応答を受信する段階及び（ｃ）前記複数の基準イメージの中で前記応答から決定される基準イメージが前記視標イメージと同じ模様であるかを判断する段階を含み、前記複数の基準イメージの中で一つの基準イメージは前記視標イメージの模様と同じである。
【００１５】
前記視力検査方法において、ディスプレイされる前記複数の基準イメージのそれぞれは、ディスプレイされる前記視標イメージから互いに異なる方向の外郭に位置し、前記応答は複数の基準イメージの中で一つの基準イメージを選択するための方向入力を含み、前記段階（ｃ）は前記応答の方向入力に対応する基準イメージと前記視標イメージが同じ模様であるかを判断する。
【００１６】
前記視力検査方法において、前記基準イメージの大きさは同じ模様の視標イメージの中で最も大きい視標イメージの大きさと同じであるかまたはそれより大きい。
【００１７】
前記視力検査方法において、（ｄ）前記段階（ｃ）での判断結果によって選択される後続視標イメージと複数の基準イメージをディスプレイする段階をさらに含み、前記段階（ａ）及び（ｄ）は被検者の両眼検査のために二つの視標イメージと各視標イメージの外郭にそれぞれ位置する二つの複数の基準イメージをディスプレイする。
【００１８】
本発明の一態様による視力検査機は、視標イメージ及び複数の基準イメージをディスプレイするディスプレイ部、前記視標イメージに対する応答を受信する入力部及び前記複数の基準イメージの中で前記応答から決定される基準イメージが前記視標イメージと同じ模様であるかを判断する制御部を含み、前記複数の基準イメージの中で一つの基準イメージは前記視標イメージの模様と同じである。
【００１９】
前記視力検査機において、前記ディスプレイ部にディスプレイされる前記複数の基準イメージのそれぞれは、ディスプレイされる前記視標イメージから互いに異なる方向の外郭に位置し、前記入力部を通じて受信される前記応答は複数の基準イメージの中で一つの基準イメージを選択するための方向入力を含み、前記制御部は前記複数の基準イメージの中で前記応答の方向入力に対応する基準イメージと前記視標イメージが同じ模様であるかを判断する。
【００２０】
前記視力検査機において、前記制御部は、決定された基準イメージと視標イメージに対する判断結果によって後続視標イメージを選択し、選択された後続視標イメージ及び複数の基準イメージを前記ディスプレイ部を通じて出力し、被検者の両眼検査のために、前記ディスプレイ部は二つの視標イメージと各視標イメージの外郭にそれぞれ位置する二つの複数の基準イメージをディスプレイする。
【００２１】
前記視力検査機において、前記ディスプレイ部はそれぞれの視標イメージをディスプレイするための二つのディスプレイモジュール及びそれぞれの複数の基準イメージをディスプレイし、前記二つのディスプレイモジュールを収容可能な基準視標板を含む。
【００２２】
前記視力検査機において、前記ディスプレイ部はそれぞれの視標イメージ及び対応する複数の基準イメージをディスプレイするための二つのディスプレイモジュールを含み、前記制御部は複数の基準イメージのそれぞれを同じ模様の視標イメージの中で最も大きい視標イメージの大きさと同じであるかまたはそれより大きくなるように構成して視標イメージとともに前記ディスプレイモジュールへ出力する。
【００２３】
本発明の一態様によって視力検査方法のプログラムを保存するダウンローダサーバはネットワークを通じてダウンロード要請を受信し、ダウンロード要請に対応するプログラムをネットワークを通じて伝送する通信モジュール、複数のプログラムを保存する保存モジュールであって、前記視力検査方法を行う視力検査プログラムを保存する保存モジュール及び前記通信モジュールを通じて受信された前記視力検査プログラムのダウンロード要請に応じて前記保存モジュールに保存された視力検査プログラムを前記通信モジュールへ伝達する制御モジュールを含む。
【発明の効果】
【００２４】
前記のような本発明に係る視力検査方法、視力検査機及びこの視力検査方法のプログラムを保存するダウンローダサーバは多様なタイプの視標を活用して自動視力検査を可能とする効果がある。
【００２５】
また、前記のような本発明に係る視力検査方法、視力検査機及びこの視力検査方法のプログラムを保存するダウンローダサーバは、乱視などのような眼の屈折異常に関係なくディスプレイされた多様なタイプの視標に対する応答を選択することができるようにして正確な視力検査が行えるようにする効果がある。
【００２６】
また、前記のような本発明に係る視力検査方法、視力検査機及びこの視力検査方法のプログラムを保存するダウンローダサーバは、年齢に関係なく視力検査のためにディスプレイされたイメージに対する応答を直観的に選択するようにして特別な意思表現を使わずに自動化された視力検査が行えるようにする効果がある。
【００２７】
本発明で得られる効果は前述の効果に制限されず、言及されていないまた他の効果は次の記載から、本発明が属する技術分野において通常の知識を有する者にとって明確に理解されるべきである。
【図面の簡単な説明】
【００２８】
【図１】視力検査機の例示的なブロック図を示した図である。
【図２】視力検査機の例示的な外形を示した図である。
【図３】グラフィックピクセル型の単一ディスプレイモジュールで構成されたディスプレイ部を示す図である。
【図４】二つのグラフィックピクセル型のディスプレイモジュールで構成されたディスプレイ部を示す図である。
【図５】セグメント型のディスプレイモジュールで構成されたディスプレイ部を示す図である。
【図６】視力検査の例示的なフロー図を示した図である。
【発明を実施するための形態】
【００２９】
前述の目的、特徴及び長所は、添付の図面を参照して詳しく後述されている詳細な説明を通じてさらに明確になるものであり、それによって本発明が属する技術分野において通常の知識を有する者が本発明の技術的思想を容易に実施することができる。また、本発明を説明するにおいて、本発明と関連した公知技術に対する具体的な説明により、本発明の要旨が不明瞭になる恐れがあると判断される場合に、その詳細な説明を省略することとする。以下、添付の図面を参照して本発明に係る好ましい実施例を詳しく説明することとする。
【００３０】
図１は視力検査機１００の例示的なブロック図を示した図である。
【００３１】
図１によれば、視力検査機１００は入力部１０１、保存部１０３、外部インタフェース部１０５、出力部１０７、センシング部１０９、ディスプレイ部１１１、照明部１１３、光学部１１５、制御部１１７及び連結部１１９を含む。
【００３２】
図１に含まれたブロックは、視力検査機１００のタイプや設計変形例によって省略されることができ、含まれていない他のブロックがこのブロック図にさらに含まれることもできる。
【００３３】
視力検査機１００は多様なタイプの機器であり得る。例えば、視力検査機１００は携帯電話、スマートフォン、タブレットＰＣなどであるか、個人用ＰＣなどであるか、インターネットなどのようなネットワークに接続して視力検査を行うことができるサーバであるか、視力検査のために構成された専用端末（図２参照）であり得る。
【００３４】
視力検査機１００のタイプによって特定のブロックが省略されることができるが、例えば、視力検査機１００が個人用ＰＣ、スマートフォン、タブレットＰＣなどである場合、照明部１１３、光学部１１５及び／またはセンシング部１０９などは各機器の構成例によって省略されることができる。
【００３５】
視力検査機１００が専用端末であることを想定して、図１を通じて視力検査機１００の各ブロックを見ると、入力部１０１は被検者からのユーザ入力を受信する。入力部１０１は２方向、４方向または８方向を選択することができる方向スティック、一つ以上のボタン、タッチパネル、タッチパッド、マウス、キーボードなどを備えてユーザ入力を受信し、これを制御部１１７へ出力する。
【００３６】
入力部１０１を通じて受信されるユーザ入力は視力検査のためにディスプレイされた視標イメージに対する応答を示すことができる。視標イメージに対する応答は例えば、視標イメージとともにディスプレイされた複数の基準イメージの中で一つの基準イメージを選択するために視標イメージから選択された基準イメージへの方向を示す方向入力を含むことができる。この応答は方向入力自体を示すか、方向入力を抽出することができる信号であり得る。
【００３７】
入力部１０１は、その他にユーザによる視力検査機１００の制御のために利用されることができる。例えば、入力部１０１は視力検査機１００を駆動したり、視力検査機１００の視力検査プログラムの開始、終了、視力検査の結果の出力などを要求するユーザ入力を受信し、これを制御部１１７へ伝達することができる。
【００３８】
保存部１０３は各種のデータとプログラムを保存する。保存部１０３は揮発性メモリ、不揮発性メモリ及び／またはハードディスクなどのような大容量保存媒体を含む。例えば、保存部１０３は視力検査に利用される視力検査プログラムを保存する。この視力検査プログラムはネットワークを通じてダウンローダサーバからダウンロードされることができる。視力検査プログラムは制御部１１７にロードされてユーザ（被検者）の視力検査を行い、視力検査結果を生成して出力することができる。
【００３９】
また、保存部１０３は視力検査に利用される各種のデータを保存するが、例えば、視力検査に利用される複数の視標イメージグループを保存することができる。各視標イメージグループは同じ模様に対する互いに異なる視標イメージを含む。例えば、一つの視標イメージグループは互いに異なる大きさのランドルト視標イメージを含み、他の一つの視標イメージグループは視力検査に利用されることができ、同じ模様の、特定の数字、文字、絵（例えば、傘、船、飛行機など）を示す視標イメージを含む。また他の視標イメージグループは以前の視標イメージグループとは異なる模様の、数字、文字、絵などを示す視標イメージを含む。このように視標イメージグループは互いに同じ模様でありながらも互いに異なる大きさの視標イメージを含む。
【００４０】
視標イメージグループは互いに異なる大きさの複数の視標イメージと、この視標イメージと同じ模様の基準イメージを含む。それぞれの視標イメージは特定の視力データ（視力値、例えば、０．１、０．２、０．３など）に対応し、基準イメージは視標イメージと同じ模様であって視標イメージの中で最も大きい視標イメージの大きさと同じか、または最も大きい視標イメージよりもさらに大きい。基準イメージはディスプレイされることができ、ユーザによる応答に利用される。
【００４１】
図３以下のディスプレイ部１１１の多様な構成を通じて詳しく見られるように、視標イメージグループの保存部１０３に保存される代わりに、ディスプレイ部１１１に予め刻まれて（刻印されて、ドローイングされて）いることができ、制御部１１７による制御信号によって一つ以上の視標イメージグループの中で特定の視標イメージグループの視標イメージと特定の視標イメージグループの基準イメージが表示されることができる。
【００４２】
外部インタフェース部１０５は視力検査機１００の外部機器と連動するためのインタフェースである。外部インタフェース部１０５はリモコン、ファックス、個人用ＰＣなどと連動するための近距離通信を行うことができる。外部インタフェース部１０５は、赤外線リモコン信号のためのインタフェースやイーサネット（登録商標）、ブルートゥース（登録商標）、またはファックス用通信インタフェースなどを備えて制御部１１７の制御によって視力検査結果を伝達したり、出力することができる。また、外部インタフェース部１０５は外部機器から制御データを受信し、これを制御部１１７へ伝達することができる。制御部１１７は受信された制御データによって動作を行うことができる。
【００４３】
出力部１０７は、制御部１１７によって生成された視力検査結果を出力する。出力部１０７はＬＣＤ、ＬＥＤなどのようなディスプレイモジュール、視力検査機１００の筐体内に内蔵されることができるプリンタモジュール、及び／または外付けプリンタに連結されるためのインタフェースを含む。
【００４４】
出力部１０７はスピーカをさらに含むことができる。スピーカは視力検査結果を知らせるための音声を出力することができ、被検者（ユーザ）の視力検査の開始や取るべき動作または行動などを案内するための案内アナウンスを制御部１１７の制御によって出力することができる。
【００４５】
センシング部１０９は視力検査の被検者またはユーザを認識する。センシング部１０９による被検者認識によって視力検査が制御部１１７により開始されることができる。センシング部１０９は顎台に印加される圧力を感知する圧力センサ、視力検査台で感知される被検者またはユーザの体温を感知するための温度センサ、被検者またはユーザを認識可能な赤外線センサ、被検者またはユーザの近接を認知する近接センサ、及び／または顎台に印加される圧力によって変化する信号を出力する回路などを含むことができる。
【００４６】
ここで、被検者やユーザは、本発明の明細書全般にわたって混用されることができる。厳しくは、人の誘導や案内に従って視力検査を受けている者が「被検者」と認知され、視力検査機１００を使用する者の恣意により視力検査を行う者を「ユーザ」と認識されることができる。以下では、二つのタイプのユーザを全て「被検者」と称する。 
【００４７】
センシング部１０９により感知された信号は制御部１１７へ出力され、制御部１１７は視力検査機１００のタイプによって視力検査を始めたり、視力検査プログラムをロードしたり、その他の案内を被検者に提供することができる。
【００４８】
ディスプレイ部１１１はイメージをディスプレイする。ディスプレイ部１１１は一つ以上のディスプレイモジュール１１１−１を含み、好ましくは二つのディスプレイモジュール１１１−１を含む。
【００４９】
ディスプレイ部１１１が、二つのディスプレイモジュール１１１−１で構成される場合、一つのディスプレイモジュール１１１−１（以下、「左眼ディスプレイモジュール」ともする）は左側の眼（以下、「左眼」ともする）の視力を検査するためのイメージをディスプレイし、他の一つのディスプレイモジュール１１１−１（以下、「右眼ディスプレイモジュール」ともする）は右側の眼（以下、「右眼」ともする）の視力を検査するためのイメージをディスプレイする。
【００５０】
左眼視力を検査するためには対応する左眼ディスプレイモジュール１１１−１が利用され、右眼視力を検査するためには対応する右眼ディスプレイモジュール１１１−１が利用され、両方の両眼視力を検査するためには二つのディスプレイモジュール１１１−１両方ともが利用される。視力検査機１００内における左眼ディスプレイモジュール１１１−１及び右眼ディスプレイモジュール１１１−１の相対的位置は光学部１１５のレンズ及び／または反射鏡の構造などによって変わることができる。
【００５１】
ディスプレイ部１１１が単一のディスプレイモジュール１１１−１で構成されることもできる。この場合、単一のディスプレイモジュール１１１−１は左眼、右眼及び／または両眼視力検査のために利用されることができる。
【００５２】
ディスプレイモジュール１１１−１はＬＣＤモジュールであるかＬＥＤモジュールであり得る。それぞれのディスプレイモジュール１１１−１は、約束のインタフェースを通じて制御部１１７からイメージまたはビデオ信号を受信し、受信された信号によるイメージ（ビデオ）をディスプレイする。
【００５３】
ディスプレイモジュール１１１−１はグラフィックピクセル型のＬＣＤモジュールであり得る。グラフィックピクセル型のＬＣＤモジュールである場合、このＬＣＤモジュールのピクセルサイズは、好ましくは０．０４ｍｍ以下に構成される。グラフィックピクセルサイズが０．０４ｍｍ以下に構成されてこそ視力検査の結果範囲（例えば、０．１〜２．０）をカバーし、視力をテストすることができる。
【００５４】
ディスプレイモジュール１１１−１はセグメント型のＬＣＤモジュールであり得る。セグメント型のＬＣＤモジュールは視力検査に利用される視標イメージである特定のパターン、模様を事前にドローイング（刻印）して視力検査に利用される精密な視標（イメージ）を表示することができる。このセグメント型のＬＣＤモジュールは一つまたは複数の視標イメージグループの視標イメージを予めドローイングし、制御部１１７による制御で特定の視標イメージを表示することができるように構成される。例えば、セグメント型のＬＣＤモジュールは、特定の視標イメージをディスプレイするための制御部１１７からの制御信号で特定の視標イメージをハイライトさせることができ、他の制御信号で他の特定の視標イメージをディスプレイ（ハイライト）することができる。
【００５５】
ディスプレイ部１１１に対してさらに詳しく見ると、図３〜図５は多様なタイプのディスプレイ部１１１の構成を示す図である。
【００５６】
図３はグラフィックピクセル型の単一ディスプレイモジュール１１１−１で構成されたディスプレイ部１１１を示し、図４は二つのグラフィックピクセル型のディスプレイモジュール１１１−１で構成されたディスプレイ部１１１を示し、図５はセグメント型のディスプレイモジュール１１１−１で構成されたディスプレイ部１１１を示す。
【００５７】
図３〜図５から分かるように、ディスプレイ部１１１は現在の視力検査に利用される視標イメージと、この視標イメージに対する被検者の応答の生成に利用される複数の基準イメージをディスプレイする。
【００５８】
視標イメージは制御部１１７により視標イメージグループ（保存部１０３の、または予めドローイングされている）から選択され、基準イメージは視標イメージの外郭に位置する。例えば、２つの基準イメージの中で一つの基準イメージが視標イメージの左側に、他の基準イメージが反対側の右側に位置することができる。例えば、４つの基準イメージの中で一つが視標イメージの左側に、他の基準イメージが視標イメージの右側に、また他の基準イメージが視標イメージの下側に、また他の基準イメージが視標イメージの上側に位置することができる。
【００５９】
ディスプレイされる基準イメージの中で一つは現在ディスプレイされた視標イメージと同じ模様のイメージである。すなわち、基準イメージの中で一つの基準イメージのみがディスプレイされた視標イメージと同じであり、他の基準イメージは現在ディスプレイされた視標イメージの模様と異なるように構成される。
【００６０】
図３から分かるように、ディスプレイ部１１１は単一のディスプレイモジュール１１１−１で構成され、このディスプレイモジュール１１１−１はグラフィックピクセルＬＣＤモジュールであるか、グラフィックピクセルＬＥＤモジュールであり得る。この場合に、ディスプレイモジュール１１１−１は二つの領域に分けられることができる。一つのディスプレイ領域は左眼視力検査のためのディスプレイ領域であり、他のディスプレイ領域は右眼視力検査のためのディスプレイ領域であり得る。両眼視力検査のために、この二つのディスプレイ領域が同時に利用（図３参照）される。
【００６１】
両眼視力検査時に左眼用ディスプレイ領域にディスプレイされる視標イメージ及び複数の（２方向または４方向の）基準イメージと右眼用ディスプレイ領域にディスプレイされる視標イメージ及び複数の基準イメージは互いに同じである。
【００６２】
また、他の構成例である図４から分かるように、ディスプレイ部１１１は二つのディスプレイモジュール１１１−１で構成され、それぞれのディスプレイモジュール１１１−１はグラフィックピクセルＬＣＤモジュールであるか、グラフィックピクセルＬＥＤモジュールであり得る。
【００６３】
一つのディスプレイモジュール１１１−１は左眼視力検査時に視標イメージをディスプレイする左眼ディスプレイモジュール１１１−１として利用され、他のディスプレイモジュール１１１−１は右眼視力検査時に視標イメージをディスプレイする右眼ディスプレイモジュール１１１−１として利用される。二つのディスプレイモジュール１１１−１に全て同じ視標イメージをディスプレイしてディスプレイ部１１１は両眼の視力を検査することができるように構成される。 
【００６４】
図４のディスプレイ部１１１は基準視標板１１１−３をさらに含むことができる。基準視標板１１１−３は二つのディスプレイモジュール１１１−１を収容することができる。すなわち、基準視標板１１１−３は二つのディスプレイモジュール１１１−１に備えられた孔を通じて結合されることができ、さらには分離されることができる。別途の基準視標板１１１−３がディスプレイ部１１１に、または視力検査機１００に結合されることができる。基準視標板１１１−３は二つのディスプレイモジュール１１１−１を収容することができる二つの孔（四角形の孔）を含み、この二つの孔を通じてディスプレイモジュール１１１−１に結合されたり、分離されることができる。基準視標板１１１−３は視力検査機１００の内部に結合手段（例えば、ねじ、接着剤、結合のための機構的な構造物など）を通じて固定され、分離されることができる。
【００６５】
基準視標板１１１−３は複数の基準イメージをディスプレイすることができる。図４から分かるように、基準視標板１１１−３は各ディスプレイモジュール１１１−１の上下左右方向に基準イメージをディスプレイすることができる。基準視標板１１１−３は基準イメージを印刷したり、陰刻や陽刻などにより刻んで基準イメージを表示することができる。この場合、視力検査時に、ＬＥＤ照明などを通じて当該基準イメージが被検者に認識されることができる。
【００６６】
ディスプレイモジュール１１１−１の大きさや設計変形によって、基準視標板１１１−３は省略され、各ディスプレイモジュール１１１−１が視標イメージの外郭に位置する基準イメージを全てディスプレイすることもできる。
【００６７】
また他の構成例である図５から分かるように、ディスプレイ部１１１は二つのディスプレイモジュール１１１−１と基準視標板１１１−３を含む。それぞれのディスプレイモジュール１１１−１はセグメント型のＬＣＤモジュールである。
【００６８】
一つのディスプレイモジュール１１１−１は左眼視力検査時に視標イメージをディスプレイする左眼ディスプレイモジュール１１１−１として利用され、他のディスプレイモジュール１１１−１は右眼視力検査時に視標イメージをディスプレイする右眼ディスプレイモジュール１１１−１として利用される。二つのディスプレイモジュール１１１−１に全て視標イメージをディスプレイしてディスプレイ部１１１は両眼の視力を検査することができるように構成される。
【００６９】
セグメントＬＣＤモジュールは一つ以上の視標イメージグループの全ての視標イメージを予めドローイングし（刻み）制御部１１７により選択された制御信号によって特定の一つの視標イメージをディスプレイすることができる。例えば、選択された視標イメージに電源を供給する制御信号を制御部１１７が出力することにより、このセグメントＬＣＤモジュールが選択された特定の視標イメージをディスプレイすることができる。
【００７０】
図５のディスプレイ部１１１は基準視標板１１１−３をさらに含むことができるが、基準視標板１１１−３は二つのディスプレイモジュール１１１−１を収容することができるように構成される。それぞれのディスプレイモジュール１１１−１は備えられた孔（例えば、四角形の孔）などを通じて基準視標板１１１−３に結合されることができ、さらには分離されることができる。他の基準イメージを表示する他の基準視標板１１１−３がディスプレイ部１１１に、または視力検査機１００に結合されることができる。基準視標板１１１−３は視力検査機１００の内部に結合手段（例えば、ねじ、接着剤、結合のための機構的な構造物など）を通じて固定され、分離されることができる。
【００７１】
基準視標板１１１−３は複数の基準イメージをディスプレイすることができる。図４や図５から分かるように、基準視標板１１１−３は各ディスプレイモジュール１１１−１の上下左右方向に基準イメージをディスプレイすることができる。基準視標板１１１−３は基準イメージを印刷したり、基準イメージを陰刻や陽刻などにより表現することができる。この場合、視力検査時の基準視標板１１１−３はＬＥＤ照明などを通じて当該基準イメージが被検者に認識されることができる。
【００７２】
図５の二つのセグメントＬＣＤモジュールは視力検査機１００から分離されたり、結合されることができる。例えば、二つのセグメントＬＣＤモジュールは必要に応じて他の視標イメージグループの視標イメージをディスプレイすることができるセグメントＬＣＤモジュールに交換されて視力検査機１００に設置されることができる。
【００７３】
図３〜図５の多様な構成例から分かるように、ディスプレイ部１１１は制御部１１７の制御によって視力検査に利用される視標イメージをディスプレイし、さらには複数の基準イメージをディスプレイする。複数の基準イメージの中で一つの基準イメージは（のみ）現在ディスプレイされている視標イメージと同じ模様である。例えば、視標イメージが数字８、傘状、船状、飛行機状である場合に複数の基準イメージの中で一つは同じ８、傘状、船状、飛行機状のイメージである。
【００７４】
基準イメージの大きさは同じ模様の視標イメージの中で最も大きい視標イメージの大きさと同じであるかまたはそれより大きい。またはディスプレイされる基準イメージが最も大きい視標イメージと同じであるかまたはそれより大きくなるように被検者により認識される。
【００７５】
再び図１のブロックを見ると、照明部１１３はディスプレイ部１１１に光を出力する。照明部１１３は多数の白色や有色のＬＥＤを含めてディスプレイ部１１１のディスプレイモジュール１１１−１にディスプレイされる視標イメージ、さらには基準イメージが一定の明るさに保持され得るようにする。
【００７６】
ディスプレイ部１１１と対応して例示的な照明部１１３の構成をさらに見ると、ディスプレイ部１１１が基準視標板１１１−３を含む場合、照明部１１３は基準視標板１１１−３の基準イメージを照明するための複数のＬＥＤを含む。基準視標板１１１−３を照明する複数のＬＥＤの中で一つ以上のＬＥＤは基準視標板１１１−３の左眼側の基準イメージを照明し、制御部１１７により制御される。基準視標板１１１−３を照明する複数のＬＥＤの中で他の一つ以上のＬＥＤは基準視標板１１１−３の右眼側の基準イメージを照明し、制御部１１７による制御信号によって制御される。また、照明部１１３はそれぞれのディスプレイモジュール１１１−１を照明するための一つ以上のＬＥＤを含む。ディスプレイモジュール１１１−１が自体的にＬＥＤを含む場合、ディスプレイモジュール１１１−１を照明するためのＬＥＤは省略されることができる。
【００７７】
光学部１１５は一つ以上のレンズと反射鏡を含めて被検者の眼が視力検査機１００内のディスプレイ部１１１の視標イメージ及び複数の基準イメージを認識することができるようにする。視力検査機１００の機器タイプによって光学部１１５は省略されることもできる。
【００７８】
制御部１１７は視力検査機１００の各ブロックを制御する。制御部１１７は保存部１０３に保存された視力検査プログラムとデータ（例えば、視標イメージなど）を利用して、このプログラムによってデータを処理して他のブロックを制御する。
【００７９】
制御部１１７は入力部１０１を通じた被検者の入力や視力検査機１００の管理者の入力によって反応し、入力によってデータを処理して処理結果を出力部１０７を通じて出力する。制御部１１７はプログラムのコードを行うことができる一つ以上の実行ユニットを含み、所謂プロセッサ、マイコン、ＣＰＵ、ＭＰＵなどを示すか、称されることができる。
【００８０】
制御部１１７は入力部１０１を通じて受信される入力によって視力検査プログラムをロードし、視力検査プログラム内で被検者の両眼、左眼及び／または右眼に対する視力検査モードを設定し、センシング部１０９を通じた被検者認識で指定されたモードにおける視力検査を実施することができる。
【００８１】
左眼視力検査において制御部１１７は左眼ディスプレイモジュール１１１−１及び、さらには基準視標板１１１−３を制御して視標イメージ及び複数の基準イメージをディスプレイする。右眼視力検査において制御部１１７は右眼ディスプレイモジュール１１１−１及び、さらには基準視標板１１１−３を制御して視標イメージ及び複数の基準イメージをディスプレイする。両眼視力検査において制御部１１７は右眼と左眼ディスプレイモジュール１１１−１及び、さらには基準視標板１１１−３を制御してそれぞれの視標イメージ及びそれぞれの複数の基準イメージをディスプレイする。
【００８２】
視力検査の過程において視標イメージのディスプレイ以後に、制御部１１７は入力部１０１を通じて被検者の応答を受信することができる。被検者はディスプレイされた視標イメージ及び複数の基準イメージの認識によって視標イメージに対する応答を入力部１０１を通じて入力し、入力部１０１は応答を示す入力信号を受信する。
【００８３】
例えば、被検者は視標イメージと同じ模様の基準イメージを認識し、視標イメージから同じ基準イメージへの方向を示す応答を方向スティックやボタンなどを通じて入力することができる。入力部１０１は、このような応答を示す信号を方向スティックやボタンなどから受信する。
【００８４】
応答の受信によって、制御部１１７はディスプレイされた複数の基準イメージの中で応答から選択された基準イメージを決定し、決定された基準イメージと現在ディスプレイされた視標イメージが同じ模様であるかを判断する。
【００８５】
例えば、制御部１１７は入力部１０１を通じて方向入力を受信し、２方向、４方向、８方向の複数の基準イメージの中で方向入力に対応する基準イメージを決定し、当該決定された基準イメージが現在の視標イメージと同じであるかを判断する。制御部１１７は現在ディスプレイされる視標イメージと同じ模様の基準イメージの方向を予め決定することができ、方向入力と予め決定された方向が同じであるかで、このような判断を行うことができる。
【００８６】
制御部１１７は同じか否かの判断結果によって後続する視標イメージを決定する。例えば、同じものと判断された場合、制御部１１７は現在ディスプレイされた視標イメージに対応する視力値よりも小さい視力値の視標イメージを選択することができる。万一、異なる場合、制御部１１７は現在ディスプレイされた視標イメージに対応する視力値よりも大きい視力値の視標イメージを選択することができる。選択される視標イメージと現在ディスプレイされた視標イメージは同じ模様であるか、異なる模様であり得る。
【００８７】
また、制御部１１７は後続する視標イメージの選択によって、この後続視標イメージに利用される複数の基準イメージを決定することができる。ディスプレイ部１１１の構成例（例えば、基準視標板１１１−３）によって基準イメージの決定は省略されることもできる。
【００８８】
後続視標イメージ及び複数の基準イメージの決定によって、制御部１１７は後続視標イメージ及び、さらには複数の基準イメージを示すイメージ（ビデオ）信号をディスプレイ部１１１へ出力する。
【００８９】
単眼検査（例えば、左眼または右眼視力検査）では、単一の視標イメージと、この視標イメージの外郭に表示される複数の基準イメージを制御部１１７がディスプレイ部１１１を通じて出力するようにする。両眼の検査では、二つの視標イメージと、この視標イメージのそれぞれの外郭に表示される複数の基準イメージを制御部１１７がディスプレイ部１１１を通じて出力するようにする。
【００９０】
連結部１１９は各ブロック間のデータ／制御データを送受信することができるようにする。連結部１１９は並列バス、シリアルバス、ＧＰＩＯ（Ｇｅｎｅｒａｌ  Ｐｕｒｐｏｓｅ  Ｉｎｐｕｔ  Ｏｕｔｐｕｔ）などの一つ以上の組み合わせで構成される。
【００９１】
図２は視力検査機１００の例示的な外形を示した図である。
【００９２】
図２の視力検査機１００は本発明によって構成された専用端末の例を示す。図２によれば、視力検査機１００は顎台と視力検査台を含み、入力部１０１に含まれる方向スティックと一つ以上のボタンを含む。方向スティックや特定の一つのボタンは変形例によって省略されたり、同じまたは類似の機能を行う他の入力手段に代替されることができる。
【００９３】
視力検査機１００の外形を簡単に見ると、顎台は視力検査時の顔の顎を安着させるための機構物であり、視力検査台は両眼を収容することができるように構成され、視力検査台を通じて単眼または両眼に露出されるイメージがディスプレイされる。
【００９４】
方向スティックは視力検査台を通じてディスプレイされた視標イメージと同じ基準イメージを示す特定の方向を指示することができるように構成される。例えば、方向スティックは、左、右、上、下の方向を示す方向信号を視力検査機１００の制御部１１７へ出力する。 
【００９５】
ボタンはまたディスプレイされた視標イメージに対する被検者の反応（応答）を入力するために利用される。例えば、ボタンは視標イメージを被検者が認識できなかったり、同じ基準イメージを見つけられなかった場合に、これを示すために利用されることができる。
【００９６】
視力検査のためにボタンのみが利用されるか、方向スティックのみが利用されるか、またはこの両方ともが利用されることができる。視力検査の利用形態によってボタンや方向スティックは省略されることができる。ボタンはプッシュ（Ｐｕｓｈ）型のボタンであるか、タッチ（Ｔｏｕｃｈ）型のボタンである。
【００９７】
図６は視力検査の例示的なフロー図を示した図である。
【００９８】
図６のフローは視力検査機１００により行われ、好ましくは制御部１１７によりロードされた視力検査プログラムを利用して他のブロックを制御して行われる。視力検査プログラムは多様な用途のプログラムであり得るが、少なくとも入力部１０１などを利用して被検者（ユーザ）の視力を検査することができるプログラムである。この視力検査プログラムは例えば、児童に動画と音声を提供する過程の間でゲームのような形態で視力検査が行われるように構成されることができる。または視力検査プログラムは児童や青少年などのゲームプログラムに内蔵されてゲームの過程中に無意識的に視力検査機能を提供することができる。このように視力検査プログラムは視力検査のための専用プログラムであるか、他のタイプのプログラムに内蔵されて特定の時点で視力検査を行うことができるプログラムであり得る。
【００９９】
ここで、既に図１〜図５を通じて視力検査機１００について詳しく見たので、重複される内容は簡単に見ることとする。
【０１００】
まず、設定された左眼、右眼または両眼視力検査モードにおいて、制御部１１７は様々な視標イメージグループの中で一つの視標イメージを選択（Ｓ１０１）する。例えば、制御部１１７は、数字、文字、傘状、船状、飛行機状などの様々な視標イメージグループの中で一つの視標イメージグループを選択し、選択された視標イメージグループから特定の視力値に対応する視標イメージを選択する。例えば、制御部１１７は視標イメージグループから視力検査が可能な視力範囲内の中間視力値に対応する視標イメージを選択することができる。
【０１０１】
また、制御部１１７は複数の基準イメージを決定（Ｓ１０３）する。ディスプレイ部１１１の構成例によって段階Ｓ１０３は省略されるか、段階Ｓ１０１よりも先行して行われることもできる。例えば、ディスプレイモジュール１１１−１に分離や結合可能な基準視標板１１１−３が利用される場合に視力検査機１００の管理者などにより先に使用される基準視標板１１１−３がディスプレイモジュール１１１−１に結合されることができる。少なくとも複数の基準イメージの中で一つの基準イメージの模様は選択された視標イメージの模様と同じである。同じ模様の基準イメージは選択された視標イメージグループ内の視標イメージの中で最も大きい視標イメージの大きさと同じであるかまたはそれより大きい。
【０１０２】
基準イメージを視標イメージよりも最も大きく構成することにより、被検者は基準イメージ（の模様）を正確に認識することができる。例えば、基準イメージは視力検査可能な最低視力値である０．１に対応する視標イメージの大きさと同じであるかまたはそれより大きくなるように構成される。
【０１０３】
以後、制御部１１７はディスプレイ部１１１を制御して選択された視標イメージ及び複数の基準イメージを被検者が認識可能にディスプレイ（Ｓ１０５）する。制御部１１７は左眼、右眼、両眼視力検査モードによって左眼用ディスプレイ領域に視標イメージ及び複数の基準イメージをディスプレイし、右眼用ディスプレイ領域に視標イメージ及び複数の基準イメージをディスプレイする。制御部１１７は両眼視力検査モードにおいて同じ二つの視標イメージと、同じ二つの複数の基準イメージを左眼用ディスプレイ領域（モジュール）及び右眼用ディスプレイ領域（モジュール）にディスプレイする。複数の基準イメージは視標イメージの外郭にディスプレイされ、被検者は視標イメージからそれぞれの基準イメージの方向を判断することができる。
【０１０４】
ディスプレイ部１１１の構成によって視標イメージと複数の基準イメージをディスプレイするための制御部１１７の制御は異なり得る。
【０１０５】
ディスプレイ部１１１がグラフィックピクセル型の単一ディスプレイモジュール１１１−１で構成された場合に、制御部１１７は保存部１０３から視標イメージのピクセルデータ及び決定された複数の基準イメージのピクセルデータを利用してイメージフレームを構成し、構成されたイメージフレームのビデオ信号を単一ディスプレイモジュール１１１−１へ出力する。両眼視力検査では、同じ二つの視標イメージ及び同じ二つの複数の基準イメージがイメージフレームに表示され、単眼（左眼または右眼）視力検査では、当該ディスプレイ領域に単一視標イメージ及びこの視標イメージの外郭に位置する複数の基準イメージがイメージフレームに表示される。
【０１０６】
ディスプレイ部１１１が二つのグラフィックピクセル型のディスプレイモジュール１１１−１で構成された場合に、単眼または両眼視力検査モードによって対応するディスプレイモジュール１１１−１のためのイメージフレームを構成し、構成されたイメージフレームのビデオ信号を当該ディスプレイモジュール１１１−１へ出力する。制御部１１７は一つまたは二つのイメージフレームを構成することができ、それぞれのイメージフレームは視標イメージを含み、さらには複数の基準イメージをさらに含むことができる。基準視標板１１１−３がディスプレイ部１１１に結合されている場合に複数の基準イメージはイメージフレームに含まれず、基準視標板１１１−３の複数の基準イメージをディスプレイするために、制御部１１７は照明部１１３を制御して複数の基準イメージに対応する一つ以上のＬＥＤをオンさせることができる。 
【０１０７】
ディスプレイ部１１１がセグメント型のディスプレイモジュール１１１−１で構成された場合に、制御部１１７は選択された視標イメージをディスプレイ（例えば、当該視標イメージのハイライトや照明の提供など）のための制御信号を一つまたは二つのディスプレイモジュール１１１−１へ出力する。また、基準視標板１１１−３のそれぞれの複数の基準イメージをディスプレイするために、制御部１１７は照明部１１３を制御して二つの複数の基準イメージの中で視力検査モードによって選択された一つまたは二つの複数の基準イメージに対応する一つ以上のＬＥＤをオンさせることができる。このようなＬＥＤは対応する基準イメージに光源を出力することができ、それによって被検者は表示された基準イメージを認識することができる。
【０１０８】
ディスプレイ部１１１のタイプには関係なく、ディスプレイされる基準イメージは全てディスプレイされる視標イメージの外郭に位置する。すなわち、基準イメージは入力部１０１の方向スティックや入力ボタン（例えば、上下左右の選択ボタン）に連動して選択することができる様々な方向の外郭に位置する。それぞれの基準イメージは視標イメージから互いに異なる方向の外郭に位置する。
【０１０９】
このように、制御部１１７は視標イメージと複数の基準イメージをディスプレイし、被検者はこのようなイメージを認識することができる。それによってユーザはディスプレイされた視標イメージに対する応答を入力部１０１を通じて入力し、制御部１１７は入力部１０１を通じて視標イメージに対する応答を示すユーザ入力を受信（Ｓ１０７）する。
【０１１０】
以後、制御部１１７は視標イメージに対する応答を示すユーザ入力の受信によりディスプレイされた複数の基準イメージの中でこの応答から選択された基準イメージを決定し、決定された基準イメージと現在ディスプレイされた視標イメージが同じ模様であるかを判断（Ｓ１０９）する。応答は視標イメージと同じ模様を有する基準イメージに対する選択を示すユーザ入力である。正確な被検者の選択を誘導するために、複数の基準イメージの中でだた一つのみが現在ディスプレイされた視標イメージとその模様が同じである。
【０１１１】
例を挙げてさらに具体的に見ると、被検者は視標イメージを眼を通じて認識し、且つ、この視標イメージの外郭に位置する複数のイメージを認識する。被検者は複数のイメージのそれぞれと視標イメージを比較して同じ模様を有する基準イメージを認識することができる。認識された基準イメージを示すために被検者は同じ模様と認識された基準イメージを選択するためのユーザ入力を入力部１０１を通じて提供することができる。例えば、被検者は視標イメージを中心として２方向、４方向、８方向などの外郭に位置する同じ基準イメージを選択するために方向スティックなどを利用して当該方向を示すための方向入力を含む応答を入力部１０１へ入力することができる。
【０１１２】
応答の方向入力を受信することによって、制御部１１７は複数の基準イメージの中で方向入力に対応する基準イメージを決定し、対応する基準イメージが現在ディスプレイされた視標イメージと同じ模様であるかを判断する。例えば、制御部１１７は同じ模様の基準イメージの方向値を先に決定した状態（段階Ｓ１０３や段階Ｓ１０５）で受信された方向入力の方向値と比較して被検者が選択した方向入力の基準イメージがディスプレイされた視標イメージと同じであるかを判断することができる。
【０１１３】
以後、制御部１１７は視力検査の終了条件を決定（Ｓ１１１）する。終了条件は視標イメージディスプレイ（Ｓ１０５）の繰り返し回数、ユーザ入力による正確な視力検査結果の獲得の有無などであり得る。正確な視力検査結果が獲得された場合に制御部１１７は出力部１０７や外部インタフェース部１０５を通じて視力検査結果を出力することができる。
【０１１４】
万一、終了条件に達した場合に段階Ｓ２００に遷移して制御部１１７は図６のフロー図を終了する。
【０１１５】
万一、終了条件に達することができなかった場合に、制御部１１７は先立って応答の受信と判断によって、後続してディスプレイされる視標イメージを選択（Ｓ１１３）する。先の判断（Ｓ１０９）が同じ模様である場合に、先立ってディスプレイされた視標イメージ（例えば１．０）に対応する視力値よりも高い視力値（例えば１．２）に対応するさらに小さい視標イメージを制御部１１７が選択する。異なる模様と判断された場合に、先立ってディスプレイされた視標イメージ（例えば１．０）に対応する視力値よりも低い視力値（例えば０．８）に対応するさらに大きい視標イメージを制御部１１７が選択する。
【０１１６】
後続視標イメージの選択によって制御部１１７は、段階Ｓ１０３〜段階Ｓ１０９を反復的に行って被検者の正確な視力検査を行うことができる。段階Ｓ１０５を通じて制御部１１７は後続視標イメージと、この後続視標イメージの選択に利用される複数の基準イメージをディスプレイすることができる。
【０１１７】
以上のように、本発明に係る視力検査方法は、被検者により認識された基準イメージと視標イメージの模様が同じか否かを示すユーザ入力で視力検査を行うことができる。さらには、視標イメージ周辺の基準イメージの選択のための方向入力を利用して視力検査が行われ、それによって誰でも容易に視力検査を行うことができる。また、本発明に係る視力検査方法は、同じ模様の絵合わせゲームと類似しており、視力検査に興味を与えることができ、他のゲームやコンテンツと連携して他のゲームやコンテンツの再生中に視力検査が行われることができる。
【０１１８】
本発明を通じた構成により、被検者が乱視などの有無に関係なく、多様な模様のイメージを利用して正確な視力検査が可能であり、さらには乱視検査などにおいても活用可能である。本発明のイメージ比較と同じイメージを示すための統一した入力方式を通じて単純且つ直観的に被検者は視力検査の入力を提供することができ、多様な階層の被検者を対象として視力検査を行うことができる。
【０１１９】
一方、図６のフローを行う視力検査プログラムは、ネットワークを通じてダウンローダサーバからダウンロードされることができる。
【０１２０】
ダウンローダサーバは要請されたプログラムのダウンロードを制御するために、少なくとも通信モジュール、保存モジュール及び制御モジュールを含む。
【０１２１】
通信モジュールはインターネットなどのようなネットワークを通じてダウンロード要請を受信し、このダウンロード要請に対応するプログラム（例えば、視力検査プログラム）をネットワークを通じて要請した機器（例えば、視力検査機１００）に伝送する。通信モジュールは一つ以上の有線ＬＡＮや無線ＬＡＮを処理するためのチップセットを含めてこのようなデータの送受信を処理することができる。
【０１２２】
保存モジュールはハードディスクなどのような大容量保存媒体を備えてダウンロード可能な複数のプログラムを保存する。保存モジュールは少なくとも本発明によって視力検査を行う（図６参照）ことができる視力検査プログラムを保存する。 
【０１２３】
制御モジュールは一つ以上の実行ユニットを含めて通信モジュールを通じて受信されたダウンロード要請に応じて保存モジュールに保存されたプログラムを検索し、要請されたプログラムを抽出して要請に対する応答として通信モジュールを通じて要請した機器へ抽出されたプログラムを伝送する。
【０１２４】
例えば、制御モジュールは視力検査プログラムのダウンロード要請に応じて保存モジュールから視力検査プログラムを抽出し、抽出された視力検査プログラムを通信モジュールで伝達して要請した視力検査機１００へ伝送することができる。
【０１２５】
本発明においてディスプレイされる視標イメージは多様なタイプのイメージであり得る。視標イメージは数字であるか、絵であるか、文字などであり得る。または視標イメージは色弱や色盲の検査に利用される色覚検査のイメージであり得る。
【０１２６】
本発明の視力検査方法及び視力検査機１００は、ユーザ入力を通じた応答の確認により、他の視力検査とともに、または代案的に色覚検査を行うことができる。色覚検査に利用される視標イメージは特定の色を認識するか否かを検査するために、多様な色のドットで構成され、特定の色で特定の数字を表示する。視標イメージが色覚検査のイメージである場合にディスプレイされる複数の基準イメージの中で一つは視標イメージに同じ色のドットで表示された数字状と同じ同一数字を示す。基準イメージは例えば、黒い色でディスプレイされることができる。
【０１２７】
色覚検査時に、視力検査方法及び視力検査機１００は二つのディスプレイモジュール１１１−１を利用したり、単一のディスプレイモジュール１１１−１を利用することができ、単眼または両眼に対して色覚検査を行うことができる。
【産業上の利用可能性】
【０１２８】
以上で説明した本発明は、本発明が属する技術分野において通常の知識を有する者にとって、本発明の技術的思想を逸脱しない範囲内で様々な置換、変形及び変更が可能であるので前述の実施例及び添付の図面により限定されるものではない。 
【符号の説明】
【０１２９】
１００…視力検査機
１０１…入力部
１０３…保存部
１０５…外部インタフェース部
１０７…出力部
１０９…センシング部
１１１…ディスプレイ部
１１１−１…ディスプレイモジュール
１１１−３…基準視標板
１１３…照明部
１１５…光学部
１１７…制御部
１１９…連結部
【図１】
2019509881.tif 000003
【図２】
2019509881.tif 000004
【図３】
2019509881.tif 000005
【図４】
2019509881.tif 000006
【図５】
2019509881.tif 000007
【図６】
2019509881.tif 000008
【国際調査報告】
2019509881.tif 000009
2019509881.tif 000010
2019509881.tif 000011
2019509881.tif 000012